【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】  変調受信信号を複数のオフセット周波数信号に変換し、対応する複数のディジタル出力を与えるために、前記複数のオフセット周波数信号をディジタル化するＡ／Ｄ変換ステージと、
前記複数のディジタル出力に関する複数の受信品質尺度を求めるディジタル信号プロセッサと、
前記変調受信信号を復調する復調器とを有し、
前記復調器が、他のオフセット周波数信号よりも良い受信品質を与えるオフセット周波数信号に対応する前記ディジタル出力を用いて前記変調受信信号を復調することを特徴とする無線受信機。
【請求項２】  前記Ａ／Ｄ変換ステージが前記変調受信信号を前記複数のディジタル化周波数で実質的に同時にディジタル化することを特徴とする請求項１記載の無線受信機。
【請求項３】  前記Ａ／Ｄ変換ステージが、対応する複数のＡ／Ｄ変換器に接続された複数の周波数変換器を有する複数のＡ／Ｄブランチを有し、
前記周波数変換器が同じサンプリング間隔の間に、前記変調受信信号の元の周波数を前記複数のディジタル化周波数へ変換し、
前記複数のＡ／Ｄ変換器が前記同じサンプリング間隔の間に前記変調受信信号を同時にディジタル化することを特徴とする請求項２記載の無線受信機。
【請求項４】  前記Ａ／Ｄ変換ステージが前記変調受信信号を前記複数のディジタル化周波数で実質的に非同時にディジタル化することを特徴とする請求項１記載の無線受信機。
【請求項５】  前記Ａ／Ｄ変換ステージが、
前記複数のディジタル化周波数に対応する異なるサンプリング間隔の間に、前記変調受信信号の元の周波数を前記複数のディジタル化周波数へ変換する周波数変換器と、
前記変調受信信号を前記異なるサンプリング間隔の間にディジタル化する１つのＡ／Ｄ変換器を有することを特徴とする請求項４記載の無線受信機。
【請求項６】  前記周波数変換器がホッピングシンセサイザを有することを特徴とする請求項５記載の無線受信機。
【請求項７】  前記複数のディジタル化周波数が互いに所定の周波数間隔ずつオフセットされていることを特徴とする請求項１記載の無線受信機。
【請求項８】  前記Ａ／Ｄ変換ステージにディザリング信号を導入するディザリング回路をさらに有することを特徴とする請求項１記載の無線受信機。
【請求項９】  変調受信信号の元の周波数を複数のディジタル化周波数に変換するＡ／Ｄ変換前ステージと、
前記受信信号を前記複数のディジタル化周波数の各々でディジタル化し、対応する複数のディジタル出力を提供するＡ／Ｄ変換ステージと、
前記ディジタル化周波数を有する前記複数のディジタル出力の各々を共通周波数に変換するＡ／Ｄ変換後ステージと、
１つのディジタル出力を用いて前記受信信号を復調する復調器と
を有することを特徴とする無線受信機。
【請求項１０】  前記受信信号を復調するための前記ディジタル出力が前記複数のディジタル出力から選択された１つのディジタル出力であることを特徴とする請求項９記載の無線受信機。
【請求項１１】  前記変調受信信号を復調するための前記ディジタル出力が前記複数のディジタル出力の中の少なくとも２つのディジタル出力を組み合わせて生成されることを特徴とする請求項９記載の無線受信機。
【請求項１２】  他のディジタル化周波数よりも良い受信品質を提供するディジタル化周波数に対応するディジタル出力を選択することによって、前記受信信号を復調するディジタル信号プロセッサをさらに有することを特徴とする請求項９記載の無線受信機。
【請求項１３】  前記Ａ／Ｄ変換ステージが前記変調受信信号を前記複数のディジタル化周波数で実質的に同時にディジタル化することを特徴とする請求項９記載の無線受信機。
【請求項１４】  前記Ａ／Ｄ変換前ステージが、複数の周波数変換器を有しするとともに、前記Ａ／Ｄ変換ステージが前記複数の周波数変換器に対応付けされて接続される複数のＡ／Ｄ変換器を有し、
前記周波数変換器が、前記変調受信信号の元の周波数を前記複数のディジタル化周波数へ同じサンプリング間隔の間に変換し、
前記複数のＡ／Ｄ変換器が前記変調受信信号を前記同じサンプリング間隔の間に同時にディジタル化することを特徴とする請求項１３記載の無線受信機。
【請求項１５】  前記Ａ／Ｄ変換後ステージが、前記複数のＡ／Ｄ変換器の前記出力に対応づけられて接続される複数の直交周波数変換器を有することを特徴とする請求項１４記載の無線受信機。
【請求項１６】  前記Ａ／Ｄ変換ステージが前記変調受信信号を実質的に非同時に前記複数のディジタル化周波数でディジタル化することを特徴とする請求項９記載の無線受信機。
【請求項１７】  前記Ａ／Ｄ変換前ステージが、前記変調受信信号の元の周波数を前記複数のディジタル化周波数へ、対応する複数の非同時のサンプリング間隔において変換する周波数変換器を有し、
前記Ａ／Ｄ変換ステージが、前記変調受信信号を前記非同時のサンプリング間隔の間に非同時にディジタル化するＡ／Ｄ変換器を有することを特徴とする請求項１６記載の無線受信機。
【請求項１８】  前記Ａ／Ｄ変換後ステージが、前記Ａ／Ｄ変換器の出力に接続された直交周波数変換器を有することを特徴とする請求項１７記載の無線受信機。
【請求項１９】  前記周波数変換器がホッピングシンセサイザを有することを特徴とする請求項１７記載の無線受信機。
【請求項２０】  前記複数のディジタル化周波数が所定の周波数間隔ずつオフセットされていることを特徴とする請求項９記載の無線受信機。
【請求項２１】  前記Ａ／Ｄ変換ステージにディザリング信号を導入するディザリング回路をさらに有することを特徴とする請求項９記載の無線受信機。
【請求項２２】  変調受信信号の元の周波数を複数のオフセット周波数信号へ変換するステップと、
前記複数のオフセット周波数信号をディジタル化し、対応する複数のディジタル出力を得るステップと、
前記複数のディジタル出力の各々を共通周波数に変換するステップと、
前記変調受信信号を、ディジタル出力を用いて復調するステップと
を有することを特徴とする変調信号の復調方法。
【請求項２３】  前記受信信号を復調するための前記ディジタル出力が、前記複数のディジタル出力から選択された１つであることを特徴とする請求項２２記載の方法。
【請求項２４】  前記受信信号を復調するための前記ディジタル出力が、前記複数のディジタル出力の中の少なくとも２つのディジタル出力を組み合わせて生成されることを特徴とする請求項２２記載の方法。
【請求項２５】  前記複数のディジタル化周波数の各々で前記ディジタル化された変調受信信号のそれぞれに関連する複数の受信品質尺度を判定するステップをさらに有することを特徴とする請求項２２記載の方法。
【請求項２６】  前記変調受信信号が前記複数の周波数で実質的に同時にディジタル化されることを特徴とする請求項２２記載の方法。
【請求項２７】  前記変調受信信号が、対応する複数の非同時のサンプリング間隔において、前記複数のディジタル化周波数で実質的に非同時にディジタル化されることを特徴とする請求項２２記載の方法。
【請求項２８】  前記複数のディジタル化周波数がチャネル間隔の所定数倍ずつ互いにオフセットされていることを特徴とする請求項２７記載の方法。
【請求項２９】  前記変調受信信号をディジタル化している間にディザリング信号を導入するステップをさらに有することを特徴とする請求項２７記載の方法。